(57)【要約】【課題】船舶のバラストタンクへの給水系に濾過装置と薬剤による殺滅装置とを介在させてバラスト水における微生物の除去や殺菌処理を十分に施せるようにするとともに、バラスト水の船外への排出に際しても上記濾過装置を再利用して、排水中に残存する薬剤や微生物の除去を十分に行えるようにする。【解決手段】バラストタンクＴへの給水に際し、取水部１からストレーナー２，第２切替えバルブＢを通じポンプ４で吸引された外水は、濾過装置５により微細生物や固形物を除去され、さらに薬剤付与装置７で殺菌処理を施されてから、第１切換えバルブＡおよび注排水用バルブ11を介し、バラストタンクＴへ流入する。バラストタンクＴからの排水の際には、第１切換えバルブＡ，バラスト水排出管12および第２切替えバルブＢを介しポンプ４で吸引されたバラスト水が、濾過装置５で再び浄化された後、排水バルブ５ｅを通じて排出される。【選択図】 図１
2008212901.tif 000002
【特許請求の範囲】
【請求項１】
船舶のバラストタンクへバラスト水を注入すべく、同船舶の没水部分に設けられた取水部と、同取水部にストレーナーおよびポンプを介し接続されて上記バラストタンクの注排水用バルブへ到る給水系とを備え、同給水系において上記ポンプと上記注排水用バルブとを接続する給水管路に、同給水管路内の給水中の細菌および微細生物ならびに固形物を濾過し除去するための濾過装置と残余の上記細菌および上記微細生物の殺滅を行うための薬剤付与装置とが介装されており、上記バラストタンクの内部のバラスト水を船外へ排出する際に上記注排水用バルブを介し上記ポンプによって吸引されたバラスト水を再び上記濾過装置へ導き濾過してから排水バルブを介し船外へ排出しうる排水系が設けられたことを特徴とする、船舶用バラスト水処理装置。
【請求項２】
上記濾過装置における濾材として、上記薬剤付与装置により上記バラスト水に付与された薬剤の残留分を同バラスト水の排出の際に吸着しうる可燃性の濾材が、取替え可能に設けられていることを特徴とする、請求項１に記載の船舶用バラスト水処理装置。
【請求項３】
上記濾過装置が、濾材を充填された多数の通水型カートリッジを交換可能に備えていることを特徴とする、請求項１または２に記載の船舶用バラスト水処理装置。
【請求項４】
上記薬剤付与装置が次亜塩素酸ソーダ発生装置として設けられていることを特徴とする、請求項１〜３のいずれか１つに記載の船舶用バラスト水処理装置。
【請求項５】
上記バラストタンクにおける上記注排水用バルブに接続されたバラスト水注入排出用主管と上記薬剤付与装置から上記主管へ到るバラスト水供給管との接続部に第１切換えバルブが設けられるとともに、バラスト水排出の際に上記第１切換えバルブを経由して上記ポンプへバラスト水を送るためのバラスト水排出管と上記ストレーナーから上記ポンプへ到る給水管との一方を選択的に上記ポンプの吸入部へ接続しうる第２切換えバルブが設けられたことを特徴とする、請求項１〜４のいずれか１つに記載の船舶用バラスト水処理装置。
【発明の詳細な説明】
【技術分野】
【０００１】
本発明は、港における船舶のバラスト水の注排水に伴い、出発港から到着港へ微生物や細菌が移動するのを防止するため、バラスト水の注排水に際して、バラスト水に適切な処理を施せるようにした装置に関する。
【背景技術】
【０００２】
船舶が港で貨物を降ろす際に、船体の安定を保持するため、同船舶のバラストタンクに張水して、そのまま出港すると、バラスト水に混入した微細な水生生物や細菌が、他の港で貨物の積込みを行う際にバラスト水と共に排出されて、本来の生息海域ではない海域に生息したり繁茂したりするようになり、環境に被害を及ぼすという不具合がある。
そこで、船舶のバラスト水については、電極による殺菌処理や微細生物に対する機械的破壊，オゾンや紫外線または薬剤による殺滅処理などを施すことが提案されているが、処理を必要とするバラスト水量が多いことと、バラスト水中に混入する微生物の種類が多いことと相まって、適切な対策をたて難く、また大量の薬剤の使用については、同薬剤による２次的被害が危惧されている。
【特許文献１】特開２００５−２７１６４８号公報
【特許文献２】特開２００５−３４２６２６号公報
【特許文献３】特開２００６−２１２４９３号公報
【特許文献４】特開２００６−２４８５１０号公報
【発明の開示】
【発明が解決しようとする課題】
【０００３】
本発明は、船舶のバラストタンクへの給水系に濾過装置と薬剤による殺滅装置とを介在させることにより、バラスト水における微生物の除去や殺菌処理を十分に施せるようにするとともに、バラスト水の船外への排出に際しては上記濾過装置を再利用して、排水中に残余する薬剤や微生物の除去を十分に行えるようにし、また上記濾過装置における使用済み濾材の処理の簡便化も図れるようにした船舶用バラスト水処理装置を提供することを課題とする。
【課題を解決するための手段】
【０００４】
前述の課題を解決するため、本発明の船舶用バラスト水処理装置は、船舶のバラストタンクへバラスト水を注入すべく、同船舶の没水部分に設けられた取水部と、同取水部にストレーナーおよびポンプを介し接続されて上記バラストタンクの注排水用バルブへ到る給水系とを備え、同給水系において上記ポンプと上記注排水用バルブとを接続する給水管路に、同給水管路内の給水中の細菌および微細生物ならびに固形物を濾過し除去するための濾過装置と残余の上記細菌および上記微細生物の殺滅を行うための薬剤付与装置とが介装されており、上記バラストタンクの内部のバラスト水を船外へ排出する際に上記注排水用バルブを介し上記ポンプによって吸引されたバラスト水を再び上記濾過装置へ導き濾過してから排水バルブを介し船外へ排出しうる排水系が設けられたことを特徴としている。
【０００５】
また、本発明の船舶用バラスト水処理装置は、上記濾過装置における濾材として、上記薬剤付与装置により上記バラスト水に付与された薬剤の残留分を同バラスト水の排出の際に吸着しうる可燃性の濾材が、取替え可能に設けられていることを特徴としている。
【０００６】
さらに、本発明の船舶用バラスト水処理装置は、上記濾過装置が、濾材を充填された多数の通水型カートリッジを交換可能に備えていることを特徴としている。
【０００７】
また、本発明の船舶用バラスト水処理装置は、上記薬剤付与装置が次亜塩素酸ソーダ発生装置として設けられていることを特徴としている。
【０００８】
さらに、本発明の船舶用バラスト水処理装置は、上記バラストタンクにおける上記注排水用バルブに接続されたバラスト水注入排出用主管と上記薬剤付与装置から上記主管へ到るバラスト水供給管との接続部に第１切換えバルブが設けられるとともに、バラスト水排出の際に上記第１切換えバルブを経由して上記ポンプへバラスト水を送るためのバラスト水排出管と上記ストレーナーから上記ポンプへ到る給水管との一方を選択的に上記ポンプの吸入部へ接続しうる第２切換えバルブが設けられたことを特徴としている。
【発明の効果】
【０００９】
上述の本発明の船舶用バラスト水処理装置では、港における船舶からの荷卸しに伴う同船舶のバラストタンクへのバラスト水供給に際して、同船舶の没水部分における取水部からストレーナーを介しポンプによって吸入された給水は、同給水に含まれる細菌および微生物ならびに固形物を濾過装置で除去する処理を施されるとともに、薬剤付与装置で残余の細菌および微生物の殺滅作用を施され、このようにして浄化された給水が上記バラストタンクへ供給されるようになる。
【００１０】
そして、上記船舶が他の港で貨物の積込みを行う場合、同船舶のバラストタンクからバラスト水を排出する際には、航行中に上記バラストタンク内でバラスト水に残存する細菌や微生物が増殖していても、あるいは上記バラスト水中に残留薬剤が存在していても、同バラスト水は上記濾過装置の再利用により再び濾過されるので、港内の水域における生態系に及ぼす被害を十分に軽減できるようになる効果が得られる。
【００１１】
また、上記濾過装置における濾材として、上記薬剤付与装置により上記バラスト水に付与された薬剤の残留分を吸着しうる可燃性の濾材が、取替え可能に設けられていると、上記バラスト水が上記濾過装置を経由して船外へ排出される際に、同バラスト水中の残留薬剤の除去が効率よく行われるほか、同濾材の劣化の際に同濾材の交換が容易に行われ、しかも使用済み濾材の処理が焼却により簡便に行われるようになる。
【００１２】
そして、上記濾過装置が、濾材を充填された多数の通水型カートリッジを交換可能に備えている場合は、上記濾材の劣化の際の取替え作業が、上記カートリッジの交換によって著しく簡易化されるようになる。
【００１３】
さらに、上記薬剤付与装置が次亜塩素酸ソーダ発生装置として設けられることにより、上記給水管路における給水中の細菌および微生物の殺滅が、的確に行われるようになる。
【００１４】
また、上記バラストタンクにおける上記注排水用バルブに接続されたバラスト水注入排出用主管と上記薬剤付与装置から上記主管へ到るバラスト水供給管との接続部に第１切換えバルブが設けられるとともに、バラスト水排出の際に上記第１切換えバルブを経由して上記ポンプへバラスト水を送るためのバラスト水排出管と上記ストレーナーから上記ポンプへ到る給水管との一方を選択的に上記ポンプの吸入部へ接続しうる第２切換えバルブが設けられることにより、バラストタンクへのバラスト水送給の際には、上記ストレーナーから上記ポンプへ到る給水管を同ポンプの吸入部へ接続するように上記第２切換えバルブを操作するとともに、上記の濾過装置および薬剤付与装置を経由した給水を上記バラストタンクへ送給するための上記バラスト水供給管を上記バラスト水注入排出用主管へ連通させるように第１切換えバルブを操作することによって、上記バラストタンクへの給水の送給が、同給水の無害化された状態で的確に行われるようになる。
【００１５】
そして、上記バラストタンクからのバラスト水排出に際しては、上記第１切換えバルブの切換え操作により上記バラスト水注入排出用主管を上記バラスト水排出管へ連通させるとともに、同バラスト水排出管を第２切換えバルブの切換操作により上記ポンプへ接続することによって、バラストタンクから排出されたバラスト水は再び前記濾過装置を利用して濾過され、このようにして十分に浄化されてからバラスト水の船外への排出が行われるようになる。
【実施例】
【００１６】
図１は船内に装備された本発明の一実施例としての船舶用バラスト水処理装置を模式的に示す説明図、図２は上記装置における濾過装置の他の例を示す縦断面図である。
【００１７】
図１に示すように、船舶ＳのバラストタンクＴへバラスト水を注入するため、同船舶Ｓの没水部における船体外板の内側に設けられたシーチェストとしての取水部１に、その格子付き開口部１ａを通じて外水が取り込まれるように構成されている。
【００１８】
そして、取水部１内の水は、粗漉しを行うストレーナー２を介してポンプ４により吸引され、同ポンプ４から送水管４ａを介し濾過装置５へ送り込まれて、バラストタンクＴへの給水として浄化されるように構成されている。
【００１９】
濾過装置５では給水中の細菌および微細生物ならびに固形物が繊維材のごとき濾材によって濾過されるが、濾過装置５を経由した給水は、連絡管５ａおよび給水バルブ６を通り、さらに薬剤付与装置７に流入して、残留塩素計８を付設された次亜塩素酸ソーダ発生装置７ａによる適度の薬剤付与に伴い、残余の細菌および微細生物の殺滅を施される。
【００２０】
このようにして浄化された給水は、第１切換えバルブＡおよびバラスト水注入排出用主管10ならびにバラストタンク内注排水用バルブ11を経由して、各バラストタンクＴ内に注入されるように構成されている。
【００２１】
また、バラストタンクＴ内のバラスト水の排出に際しては、ポンプ４の作動により、バラストタンク内注排水用バルブ11を通じて排出されるバラスト水が、バラスト水注入排出用主管10および第１切換えバルブＡを通るとともに、バラスト水排出管12および第２切換えバルブＢを通ってポンプ４に流入し、さらに同ポンプ４の出口管４ａを通じて濾過装置５へ流入することにより再び濾過されるように構成されている。
なお、濾過装置５の内部の濾材としては、バラスト水の排出時に同バラスト水に残留する薬剤としての次亜塩素酸ソーダを吸着可能で、しかも可燃性のもの（例えば活性炭を含む繊維材）が用いられて、取替え可能に設けられる。
【００２２】
そして、濾過装置５の排出管５ａから排出されたバラスト水は、排水バルブ５ｅを通じて船外へ排出されるが、その際、給水バルブ６は閉鎖される。
【００２３】
図２は濾過装置５の変形例を示しており、その内部には、可燃性で薬剤の吸着も行える濾材を充填された多数の通水型カートリッジ５Ａが、多段状の仕切り板５ｃで区画された各区画室内に装填されている。そして、各仕切り板５ｃには連通孔５ｄが形成されている。濾材の劣化による取替えの際には、開閉蓋５ｂを開いてカートリッジ５Ａの交換が行われる。
【００２４】
上述の本実施例の船舶用バラスト水処理装置では、港における船舶Ｓからの荷卸しに伴う同船舶ＳのバラストタンクＴへのバラスト水供給に際して、同船舶Ｓの没水部分における取水部１からストレーナー２を介しポンプ４によって吸入された給水は、同給水に含まれる細菌および微生物ならびに固形物を濾過装置５で除去する処理を施されるとともに、薬剤付与装置７で次亜塩素酸ソーダによる残余の細菌および微生物の殺滅作用を施され、このようにして浄化された給水がバラストタンクＴへ供給されるようになる。
【００２５】
そして、船舶Ｓが他の港で貨物の積込みを行う場合、同船舶ＳのバラストタンクＴからバラスト水を排出する際には、航行中にバラストタンクＴ内でバラスト水に残存する細菌や微生物が増殖していても、あるいは上記バラスト水中に残留薬剤が存在していても、同バラスト水は濾過装置５の再利用により再び濾過されるので、港内の水域における生態系に及ぼす被害を十分に軽減できるようになる効果が得られる。
【００２６】
また、濾過装置５における濾材として、薬剤付与装置７で付与された薬剤を吸着しうる可燃性の濾材が取替え可能に設けられているので、バラスト水の排出時に同濾過装置５を再び経由するバラスト水に残存する薬剤の除去が適切に行われるほか、同濾材の劣化の際に、同濾材の交換が容易に行われ、しかも使用済み濾材の処理が焼却により簡便に行われるようになる。
【００２７】
そして、濾過装置５が、図２に示すように、濾材を充填された多数の通水型カートリッジ５Ａを交換可能に備えている場合は、上記濾材の劣化の際の取替え作業が、カートリッジ５Ａの交換によって著しく簡易化されるようになる。
【００２８】
さらに、薬剤付与装置７が次亜塩素酸ソーダ発生装置７ａとして設けられることにより、上記給水管路における給水中の細菌および微生物の殺滅が、的確に行われるようになる。
【００２９】
また、バラストタンクＴにおける注排水用バルブ11に接続されたバラスト水注入排出用主管10と薬剤付与装置７から主管10へ到るバラスト水供給管９との接続部に第１切換えバルブＡが設けられるとともに、バラスト水排出の際に第１切換えバルブＡを経由してポンプ４へバラスト水を送るためのバラスト水排出管12とストレーナー２からポンプ４へ到る給水管３との一方を選択的にポンプ４の吸入部へ接続しうる第２切換えバルブＢが設けられることにより、バラストタンクＴへのバラスト水送給の際には、ストレーナー２からポンプ４へ到る給水管３を同ポンプ４の吸入部へ接続するように第２切換えバルブＢを操作するとともに、濾過装置５および薬剤付与装置７を経由した給水をバラストタンクＴへ送給するためのバラスト水供給管９をバラスト水注入排出用主管10へ連通させるように第１切換えバルブＡを操作することによって、バラストタンクＴへの給水の送給が、同給水の無害化された状態で的確に行われるようになる。
【００３０】
そして、バラストタンクＴからのバラスト水排出に際しては、第１切換えバルブＡの切換え操作によりバラスト水注入排出用主管10をバラスト水排出管12へ連通させるとともに、同バラスト水排出管12を第２切換えバルブＢの切換え操作によりポンプ４へ接続することによって、バラストタンクＴから排出されたバラスト水は再び濾過装置５を利用して濾過され、このようにして十分に浄化されてからバラスト水の船外への排出が行われるようになる。
【図面の簡単な説明】
【００３１】
【図１】船内に装備された本発明の一実施例としての船舶用バラスト水処理装置を模式的に示す説明図である。
【図２】上記装置における濾過装置の他の例を示す縦断面図である。
【符号の説明】
【００３２】
１  取水部
１ａ  格子付き開口部
２  ストレーナー
３  給水管
４  ポンプ
５  濾過装置
５Ａ  カートリッジ
５ａ  排出管
５ｂ  開閉蓋
５ｃ  仕切り板
５ｄ  連通孔
５ｅ  排水バルブ
６  給水バルブ
７  薬剤付与装置
７ａ  次亜塩素酸ソーダ発生装置
８  残留塩素計
９  バラスト水供給管
10  バラスト水注入排出用主管
11  注排水用バルブ
12  バラスト水排出管
Ａ  第１切換えバルブ
Ｂ  第２切換えバルブ
Ｓ  船舶
Ｔ  バラストタンク
【図１】
2008212901.tif 000003
【図２】
2008212901.tif 000004